(57)【要約】【課題】  巻尺の本体ケースに落下防止用ロープに備える係着具たるフック等を係着できる係着部を設けて、巻尺を手やポケット等から落としてしまった場合でも、落下防止用ロープによって巻尺の落下を食い止めることができる巻尺を提供する。【解決手段】  巻尺の本体たるケース１を、このケース１を構成する半ケース１ａと半ケース１ｂを固定するためのケース固定用ねじ２の中間部分２ａがケース１の外側に露出するように形成して、かつ、ケース１の外側に露出する中間部分２ａとこの中間部分２ａの直交方向におけるケース１の外面との間に、外部の落下防止用ロープ３のフック４を係着できる間隙を設ける。【選択図】  図１
2011158300.tif 000002
【特許請求の範囲】
【請求項１】
ケース内に、測定用テープを周囲に巻き回し、同測定用テープを巻き取り方向に付勢する付勢手段を内装した回転ドラムが回転自在に支持された自動巻取り式の巻尺であって、ケースを構成する一対の半ケースを固定するためのケース固定用ねじを、ケースに接続する外部の落下防止用ロープを係着する係着部とし、前記落下防止用ロープにより同ケースの落下が阻止される時のケース側に加わる衝撃の主たる受け止め体にしてなる巻尺。
【請求項２】
前記ケースを、ケース固定用ねじの中間部分がケース外側に露出するように形成し、ケース外側に露出する中間部分とこの中間部分における直交方向のケース外面との間に、所定の間隙を設けてなる請求項１に記載の巻尺。
【請求項３】
前記間隙が、少なくとも外部の落下防止用ロープを係着できる間隙にしてなる請求項２に記載の巻尺。
【請求項４】
前記ケース固定用ねじのケース外側に露出する中間部分に、少なくとも外部の落下防止用ロープを係着できる環状体を設けてなる請求項２に記載の巻尺。
【請求項５】
前記環状体が、ケース固定用ねじの中間部分に係着する首部と、この首部に続く頭部とよりなり、かつ頭部が、首部に続く基部を軸に、同軸周りに回動できるように構成してなる請求項４に記載の巻尺。
【請求項６】
前記ケース固定用ねじのケース内を通過する中間部分に、ケースに形成した開口を介して、少なくとも外部の落下防止用ロープを係着できる係着体を取り付けてなる請求項１に記載の巻尺。
【請求項７】
前記係着体が、ケース固定用ねじの中間部分に係着する首部と、この首部に続く頭部とよりなり、かつ頭部が、頭部に続く基部を軸に、この軸周りに回動できるように構成してなる請求項６に記載の巻尺。
【発明の詳細な説明】
【技術分野】
【０００１】
本発明は、測定用テープをケース内に巻き回し収容する巻尺に関し、より詳しくは、本体ケースに落下防止用ロープを係着できる係着部を設けた巻尺に関する。
【背景技術】
【０００２】
従来、高所作業における巻尺の落下防止は、市販の落下防止用ロープの一方に備える係着具を作業者が身に付けたベルト等に係着し、他方に備える係着具を巻尺の本体ケースに取り付けられた携帯用ストラップに係着することによって巻尺と作業者を連結して、誤って巻尺を手やポケット等から落としてしまった場合でも、巻尺が落下防止用ロープによって地上まで落下しないようにしている。
【０００３】
しかしながら、落下防止用ロープを係着する携帯用ストラップは、巻尺を携帯する際に、本体ケースを手から下げて持ち歩けるようにすることを目的として設けているものであるため、巻尺を落としてしまった場合に、落下防止用ロープにかかる巻尺落下阻止の衝撃によって前記ストラップや本体ケースの前記ストラップ取り付け部が破損し、結果、巻尺が落下してしまう恐れがあった。
【先行技術文献】
【特許文献】
【０００４】
【特許文献１】特開２００３−１６１６０１号公報（第１〜８頁、図１〜１３）
【発明の概要】
【発明が解決しようとする課題】
【０００５】
本発明の目的とするところは、巻尺の本体ケースに落下防止用ロープに備える係着具たるフック等を係着できる係着部を設けて、巻尺を手やポケット等から落としてしまった場合でも、落下防止用ロープによって巻尺の落下を食い止めることができる巻尺を提供できるようにすることにある。
【課題を解決するための手段】
【０００６】
上述した課題を解決するために、本発明に係る巻尺は、ケース内に、測定用テープを周囲に巻き回し、同測定用テープを巻き取り方向に付勢する付勢手段を内装した回転ドラムが回転自在に支持された自動巻取り式の巻尺であって、ケースを構成する一対の半ケースを固定するためのケース固定用ねじを、ケースに接続する外部の落下防止用ロープを係着する係着部とし、前記落下防止用ロープにより同ケースの落下が阻止される時のケース側に加わる衝撃の主たる受け止め体にしたものとしてある。
【０００７】
また、前記ケースを、ケース固定用ねじの中間部分がケース外側に露出するように形成し、ケース外側に露出する中間部分とこの中間部分における直交方向のケース外面との間に、所定の間隙を設けたものとしてある。
【０００８】
また、前記間隙が、少なくとも外部の落下防止用ロープを係着できる間隙にしたものとしてある。
【０００９】
また、前記ケース固定用ねじのケース外側に露出する中間部分に、少なくとも外部の落下防止用ロープを係着できる環状体を設けたものとしてある。
【００１０】
また、前記環状体が、ケース固定用ねじの中間部分に係着する首部と、この首部に接続する頭部とよりなり、かつ頭部が、首部に続く基部を軸に、同軸周りに回動できるように構成したものとしてある。
【００１１】
また、前記ケース固定用ねじのケース内を通過する中間部分に、ケースに形成した開口を介して、少なくとも外部の落下防止用ロープを係着できる係着体を取り付けたものとしてある。
【００１２】
また、前記係着体が、ケース固定用ねじの中間部分に係着する首部と、この首部に続く頭部とよりなり、かつ頭部が、首部に続く基部を軸に、この軸周りに回動できるように構成したものとしてある。
【発明の効果】
【００１３】
本発明に係る巻尺によれば、巻尺の本体ケースに、落下防止用ロープに備える係着具たるフック等を係着できる係着部を設けているので、巻尺と落下防止用ロープとをしっかりと連結できて、落下防止用ロープの連結不良等による誤落下を阻止できる。
【００１４】
また、前記係着部となるケースにおける一対の半ケースを固定しているケース固定用ねじが、落下防止用ロープにより巻尺の落下を阻止する際に加わる撃力を受け止めて、ケース側に加わる衝撃を和らげることができるので、前記衝撃等が加えられることによる前記係着部の破損を軽減でき、また、落下防止用ロープによって巻尺の落下を食い止めることができ、高所作業時の安全性を大幅に向上させることができる。
【００１５】
また、前記ケース固定用ねじとして既製のねじを利用できるので、開発や部材等にかかる費用を節約できる。
【図面の簡単な説明】
【００１６】
【図１】本発明に係る巻尺の一例を示す斜視図。
【図２】半ケースを取り外した状態の巻尺を示す図。
【図３】図１に示した巻尺のケース固定用ねじの中間露出部に落下防止用ロープを係着した状態を示す斜視図。
【図４】ケース固定用ねじの中間露出部に環状体を設けたものを示す斜視図。
【図５】図３に示した巻尺のケース固定用ねじの中間露出部に設けた環状体に落下防止用ロープを係着した状態を示す斜視図。
【図６】環状体の一例を示す一部拡大斜視図。
【図７】本発明に係る巻尺の一例を示す斜視図。
【図８】図５に示した巻尺の係着体に落下防止用ロープを係着した状態を示す斜視図。
【図９】係着体の一例を示す一部拡大斜視図。
【発明を実施するための形態】
【００１７】
以下、本発明に係る巻尺の実施例を、添付図面に示す具体例に基づいて詳細に説明する。
【００１８】
本発明の巻尺は、ケースに接続する外部の落下防止用ロープを係着する係着部となるケースを構成する一対の半ケースを固定するためのケース固定用ねじを、ケースに接続する外部の落下防止用ロープにより同ケースの落下が阻止される時のケース側に加わる衝撃の主たる受け止め体にしているものである。
【００１９】
図１に示したケース１は、巻尺の本体たるケース１の測定用テープ５の出入り口６側を前面とした場合（図２参照）、同ケース１の背面側下方の両側寄り部位、すなわち、半ケース１a、半ケース１bそれぞれの背面側下方の両側寄り部位を後方に突出するよう形成している。
【００２０】
そして、前記一対の半ケースを嵌合させてケース１を組立てた際に、巻尺の本体たるケース１を構成する一対の半ケース１ａと半ケース１ｂを固定するためのケース固定用ねじ２の中間部がケース１の外側に露出し、その露出した部分が前記係着部として中間部分２ａをなす。
【００２１】
そして、ケース１の外側に露出するケース固定用ねじ２の中間部分２ａとこの中間部分２ａにおける直交方向のケース１外面との間を、少なくとも外部の落下防止用ロープ３に有する係着具たるフック４を係着できる間隙にしている。
【００２２】
また、図４に示すように、ケース１の外側に露出するケース固定用ねじ２の中間部分２ａに、外部の落下防止用ロープ３に有するフック４を係着できる中継用の環状体７を設ける場合がある。
【００２３】
この図４に示したものは、前記中間部分２ａに十分な長さがとれない場合、あるいは、前記中間部分２ａとこの中間部分２ａにおける直交方向のケース１外面との間が狭く、外部の落下防止用ロープ３に有するフック４の係着が困難になる場合等に適する。
【００２４】
また、前述した環状体７を、図６に示すように、ケース固定用ねじ２のケース１外側に露出する中間部分２ａに係着する首部８と、この首部８に続く掛止用の頭部９とから構成して、同頭部９が基部１０を軸にして、この軸周りに回動できるように構成する場合がある。
【００２５】
さらに図７は、巻尺の本体たるケース１内を通過するケース固定用ねじ２の中間部分２ａに、ケース１に形成した開口１１を介して外部の落下防止用ロープ３に有するフック４を係着できる係着体１２を取り付けたものである。
【００２６】
また、係着部を、図９に示すように、ケース固定用ねじ２のケース１外側に露出する中間部分２ａに係着する首部１３と、この首部１３に続く例えば環状の頭部１４とから構成して、頭部１４が基部１５を軸にして、この軸周りに回動できるように構成する場合がある。
【００２７】
以下、上述のように構成した本発明に係る巻尺の作用について説明する。
【００２８】
図１に示したケース固定用ねじ２の中間部分２ａをケース１の外側に露出する形状にしたものは、図３に示すように、前記中間部分２ａに作業者の腰ベルトに接続している落下防止用ロープ３に有するフック４を接続することで、作業者（図示は省略）と巻尺のケース１とがしっかりと連結される。
【００２９】
そして、落下防止用ロープ３によって巻尺の誤落下が阻止される際の巻尺たるケース１側に加わる衝撃は、前記ケース固定用ねじ２によってしっかりと受け止められる。
【００３０】
図４に示したケース固定用ねじ２の中間部分２ａに環状体７を設けたものは、図５に示すように、前記環状体７に作業者の腰ベルトに接続している落下防止用ロープ３に有するフック４を接続することで、作業者（図示は省略）と巻尺のケース１とがしっかりと連結される。
【００３１】
そして、落下防止用ロープ３によって巻尺の誤落下が阻止される際の巻尺たるケース１側に加わる衝撃は、前記中継用の環状体７を介し、ケース固定用ねじ２によってしっかりと受け止められる。
【００３２】
図７に示したケース１内を通過するケース固定用ねじ２の中間部分２ａに、ケース１に形成した開口１１を介して外部から係着体１２を取り付けたものは、図８に示すように、前記係着体１２に作業者の腰ベルトに接続している落下防止用ロープ３に有するフック４を接続することで、作業者（図示は省略）と巻尺のケース１とがしっかりと連結される。
【００３３】
そして、落下防止用ロープ３によって巻尺の誤落下が阻止される際の巻尺たるケース１側に加わる衝撃は、ケース固定用ねじ２によってしっかりと受け止められる。
【００３４】
なお、ケース固定用ねじは、落下防止用ロープ３のフック４の係着部である掛止部をねじの頭部に直接設けて、前記フック４をこの掛止部に引っ掛けて使用できるように構成してもよい。
【００３５】
実施例の巻尺は、ケース１内から引き出した測定用テープ５を引き出し位置で停止させておくブレーキ装置（ブレーキレバー）、また、ケース１の測定用テープ５の出入り口６内に配設され、巻き取られた測定用テープ５先端の係止片１６が出入り口６に係止される際の衝撃を緩和するダンパー装置等の図示を省略している。
【００３６】
実施例における図中の符号１７は、巻尺を作業者のベルトに係着する際に用いるベルトクリップ、符号１８は、回転ドラム１９を支持するためのケース１内に立設した軸、符号２０は、引き出された測定用テープ５をケース１内に巻き取るための巻き取りばね、符号２１、２１´は、半ケース１ａと半ケース１ｂとを固定してケース１を形成するためのケース固定用ねじ２、２´を受けるねじ受け部である。
【符号の説明】
【００３７】
１  ケース
１ａ  半ケース
１ｂ  半ケース
２  ケース固定用ねじ
２´  ケース固定用ねじ
２ａ  中間部分
３  落下防止用ロープ
４  フック
５  測定用テープ
６  出入り口
７  環状体
８  首部
９  頭部
１０  基部
１１  開口
１２  係着体
１３  首部
１４  頭部
１５  基部
１６  係止片
１７  ベルトクリップ
１８  軸
１９  回転ドラム
２０  巻き取りばね
２１  ねじ受け部
２１´  ねじ受け部
【図１】
2011158300.tif 000003
【図２】
2011158300.tif 000004
【図３】
2011158300.tif 000005
【図４】
2011158300.tif 000006
【図５】
2011158300.tif 000007
【図６】
2011158300.tif 000008
【図７】
2011158300.tif 000009
【図８】
2011158300.tif 000010
【図９】
2011158300.tif 000011